【手続補正書】
【提出日】平成17年3月8日(2005.3.8)
【手続補正１】
【補正対象書類名】明細書
【補正対象項目名】特許請求の範囲
【補正方法】変更
【補正の内容】
【特許請求の範囲】
【請求項１】
複数の像担持体に複数の光束を走査して該像担持体上に画像を形成する走査光学ユニットにおいて、
各像担持体面上を光束で走査する各々の走査光学系を構成する同一光学特性の少なくとも１枚のレンズは、複数のキャビティーを用いて成形されたものであり、該複数のキャビティーで成形された該レンズのキャビティー差に起因する光学特性のバラツキに応じて、光学特性値の相対差が許容範囲内に入るようにキャビティー同士を複数のグループに分けたとき、各々の走査光学系の１枚のレンズは複数のグループのうちの１つのグループのキャビティーから選択していることを特徴とする走査光学ユニット。
【請求項２】
前記光学特性値は、前記像担持体面上の照射位置高さであることを特徴とする請求項１記載の走査光学ユニット。
【請求項３】
前記光学特性値の許容範囲は、前記像担持体面上の全走査領域において、照射位置高さの相対差が１００μｍ以内であることを特徴とする請求項１記載の走査光学ユニット。
【請求項４】
前記光学特性値は、前記像担持体面上の主走査方向の部分倍率であることを特徴とする請求項１記載の走査光学ユニット。
【請求項５】
前記光学特性値の許容範囲は、前記像担持体面上の全走査領域において、主走査方向のドット位置ズレの相対差が１００μｍ以内であることを特徴とする請求項１記載の走査光学ユニット。
【請求項６】
複数の像担持体に複数の光束を走査して該像担持体上に画像を形成する走査光学ユニットにおいて、
各像担持体面上を光束で走査する各々の走査光学系を構成する同一光学特性の少なくとも１枚のレンズは、複数のキャビティーを用いて成形されたものであり、該複数のキャビティーで成形された該レンズのキャビティー差に起因する光学特性のバラツキに応じて、光学特性値の相対差が許容範囲内に入るようにキャビティー同士を複数のグループに分けたとき、１台の走査光学ユニットに用いるレンズは、そのうちの１つのグループのキャビティーから選択しており、該複数のグループには、どのグループにも属するキャビティーを少なくとも１つ有することを特徴とする走査光学ユニット。
【請求項７】
前記光学特性値は、前記像担持体面上の照射位置高さであることを特徴とする請求項６記載の走査光学ユニット。
【請求項８】
前記光学特性値の許容範囲は、前記像担持体面上の全走査領域において、照射位置高さの相対差が１００μｍ以内であることを特徴とする請求項６記載の走査光学ユニット。
【請求項９】
前記光学特性値は、前記像担持体面上の主走査方向の部分倍率であることを特徴とする請求項６記載の走査光学ユニット。
【請求項１０】
前記光学特性値の許容範囲は、前記像担持体面上の全走査領域において、主走査方向のドット位置ズレの相対差が１００μｍ以内であることを特徴とする請求項６記載の走査光学ユニット。
【請求項１１】
複数の像担持体に複数の光束を走査して該像担持体上に画像を形成する走査光学ユニットにおいて、
各像担持体面上を光束で走査する各々の走査光学系を構成する同一光学特性の少なくとも１枚のレンズは、複数のキャビティーを用いて成形されたものであり、１台の走査光学ユニットに用いる前記少なくとも１枚のレンズは、前記複数のキャビティーの数をｎ個（ｎ≧３）とした場合、そのうちの２個以上、ｎ−１個以下のキャビティーで成形されたレンズであることを特徴とする走査光学ユニット。
【請求項１２】
前記光学特性値は、前記像担持体面上の照射位置高さであることを特徴とする請求項１１記載の走査光学ユニット。
【請求項１３】
前記光学特性値の許容範囲は、前記像担持体面上の全走査領域において、照射位置高さの相対差が１００μｍ以内であることを特徴とする請求項１１記載の走査光学ユニット。
【請求項１４】
前記光学特性値は、前記像担持体面上の主走査方向の部分倍率であることを特徴とする請求項１１記載の走査光学ユニット。
【請求項１５】
前記光学特性値の許容範囲は、前記像担持体面上の全走査領域において、主走査方向のドット位置ズレの相対差が１００μｍ以内であることを特徴とする請求項１１記載の走査光学ユニット。
【請求項１６】
外部機器から入力した色信号を異なった色の画像データに変換して走査光学ユニットに入力せしめるプリンタコントローラを有していることを特徴とする請求項１乃至１５の何れか１項に記載のカラー画像形成装置。
【手続補正２】
【補正対象書類名】明細書
【補正対象項目名】００２４
【補正方法】変更
【補正の内容】
【００２４】
本発明は像担持体面上の全走査領域で副走査方向又は／及び主走査方向のドット位置ズレを低減し、副走査方向又は／及び主走査方向の色ズレ成分の少ない良好なるカラー画像を得ることが可能な走査光学ユニット及びそれを有するカラー画像形成装置の提供を目的とする。
【手続補正３】
【補正対象書類名】明細書
【補正対象項目名】００２５
【補正方法】変更
【補正の内容】
【００２５】
【課題を解決するための手段】
請求項１の発明の走査光学ユニットは、複数の像担持体に複数の光束を走査して該像担持体上に画像を形成する走査光学ユニットにおいて、
各像担持体面上を光束で走査する各々の走査光学系を構成する同一光学特性の少なくとも１枚のレンズは、複数のキャビティーを用いて成形されたものであり、該複数のキャビティーで成形された該レンズのキャビティー差に起因する光学特性のバラツキに応じて、光学特性値の相対差が許容範囲内に入るようにキャビティー同士を複数のグループに分けたとき、各々の走査光学系の１枚のレンズは複数のグループのうちの１つのグループのキャビティーから選択していることを特徴としている。
請求項２の発明は請求項１の発明において、前記光学特性値は、前記像担持体面上の照射位置高さであることを特徴としている。
請求項３の発明は請求項１の発明において、前記光学特性値の許容範囲は、前記像担持体面上の全走査領域において、照射位置高さの相対差が１００μｍ以内であることを特徴としている。
請求項４の発明は請求項１の発明において、前記光学特性値は、前記像担持体面上の主走査方向の部分倍率であることを特徴としている。
請求項５の発明は請求項１の発明において、前記光学特性値の許容範囲は、前記像担持体面上の全走査領域において、主走査方向のドット位置ズレの相対差が１００μｍ以内であることを特徴としている。
【手続補正４】
【補正対象書類名】明細書
【補正対象項目名】００２６
【補正方法】変更
【補正の内容】
【００２６】
請求項６の発明の走査光学ユニットは、複数の像担持体に複数の光束を走査して該像担持体上に画像を形成する走査光学ユニットにおいて、
各像担持体面上を光束で走査する各々の走査光学系を構成する同一光学特性の少なくとも１枚のレンズは、複数のキャビティーを用いて成形されたものであり、該複数のキャビティーで成形された該レンズのキャビティー差に起因する光学特性のバラツキに応じて、光学特性値の相対差が許容範囲内に入るようにキャビティー同士を複数のグループに分けたとき、１台の走査光学ユニットに用いるレンズは、そのうちの１つのグループのキャビティーから選択しており、該複数のグループには、どのグループにも属するキャビティーを少なくとも１つ有することを特徴としている。
請求項７の発明は請求項６の発明において、前記光学特性値は、前記像担持体面上の照射位置高さであることを特徴としている。
請求項８の発明は請求項６の発明において、前記光学特性値の許容範囲は、前記像担持体面上の全走査領域において、照射位置高さの相対差が１００μｍ以内であることを特徴としている。
請求項９の発明は請求項６の発明において、前記光学特性値は、前記像担持体面上の主走査方向の部分倍率であることを特徴としている。
請求項１０の発明は請求項６の発明において、前記光学特性値の許容範囲は、前記像担持体面上の全走査領域において、主走査方向のドット位置ズレの相対差が１００μｍ以内であることを特徴としている。
【手続補正５】
【補正対象書類名】明細書
【補正対象項目名】００２７
【補正方法】変更
【補正の内容】
【００２７】
請求項１１の発明の走査光学ユニットは、複数の像担持体に複数の光束を走査して該像担持体上に画像を形成する走査光学ユニットにおいて、
各像担持体面上を光束で走査する各々の走査光学系を構成する同一光学特性の少なくとも１枚のレンズは、複数のキャビティーを用いて成形されたものであり、１台の走査光学ユニットに用いる前記少なくとも１枚のレンズは、前記複数のキャビティーの数をｎ個（ｎ≧３）とした場合、そのうちの２個以上、ｎ−１個以下のキャビティーで成形されたレンズであることを特徴としている。
請求項１２の発明は請求項１１の発明において、前記光学特性値は、前記像担持体面上の照射位置高さであることを特徴としている。
請求項１３の発明は請求項１１の発明において、前記光学特性値の許容範囲は、前記像担持体面上の全走査領域において、照射位置高さの相対差が１００μｍ以内であることを特徴としている。
請求項１４の発明は請求項１１の発明において、前記光学特性値は、前記像担持体面上の主走査方向の部分倍率であることを特徴としている。
請求項１５の発明は請求項１１の発明において、前記光学特性値の許容範囲は、前記像担持体面上の全走査領域において、主走査方向のドット位置ズレの相対差が１００μｍ以内であることを特徴としている。
【手続補正６】
【補正対象書類名】明細書
【補正対象項目名】００２８
【補正方法】変更
【補正の内容】
【００２８】
請求項１６の発明のカラー画像形成装置は、外部機器から入力した色信号を異なった色の画像データに変換して走査光学ユニットに入力せしめるプリンタコントローラを有していることを特徴としている。
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】
【手続補正９】
【補正対象書類名】明細書
【補正対象項目名】００３１
【補正方法】削除
【補正の内容】
【手続補正１０】
【補正対象書類名】明細書
【補正対象項目名】０１０１
【補正方法】変更
【補正の内容】
【０１０１】
以上のことより本実施形態においては、複数のキャビティーで成形された走査レンズのキャビティー差に起因する走査線湾曲の湾曲方向及び主走査方向の部分倍率に関して少なくとも第１、第２の２枚の走査レンズ６ａ，６ｂを湾曲方向及び部分倍率誤差が逆向きのキャビティーで構成するようにキャビティーを組合わせすることにより、走査レンズ系全系での走査線湾曲量及び部分倍率誤差を低減することができ、また副走査方向及び主走査方向の色ズレも低減することができる走査光学ユニット及びこれにより良好なるカラー画像出力が得られるカラー画像形成装置を達成している。
【手続補正１１】
【補正対象書類名】明細書
【補正対象項目名】０１０２
【補正方法】変更
【補正の内容】
【０１０２】
【発明の効果】
本発明によれば各像担持体に対応する走査光学系の少なくとも１枚のレンズを複数のキャビティーを用いて成形し、該複数のキャビティーで成形されたレンズのキャビティー差に起因する光学特性のバラツキに応じて、光学特性値の相対差が許容範囲内に入るようにキャビティー同士を複数のグループに分けたとき、
各々の走査光学系の１枚のレンズを複数のグループのうちの１つのグループのキャビティーから選択することにより、
もしくは１台のカラー画像形成装置には、そのうちの１つのグループから選択し、該複数のグループには、どのグループにも属するキャビティーを少なくとも１つ有することにより、
像担持体面上の全走査領域で副走査方向又は／及び主走査方向のドット位置ズレを低減し、副走査方向又は／及び主走査方向の色ズレ成分の少ない走査光学ユニット及び良好なるカラー画像を得ることができるカラー画像形成装置を達成することができる。